(57)【要約】 【課題】  紛失および盗難などによる不正利用を防止することができ、すでに不正利用されていれば、不正利用した第三者を特定し、然るべき措置を取ることができ、さらに消費電力を低減することができる携帯端末装置を提供する。【解決手段】  所定の操作手順によって電源がオフされた場合、電源オフ状態であっても、サーバに問合せを行い、自装置が紛失または盗難された状態にあるかどうかを確認する。紛失または盗難された状態であった場合は、所定時間ごとにカメラ１３やＧＰＳ１８などを起動させて、不正利用者を特定するための情報や装置の現在位置に関連する情報を取得し、サーバに対して送信する。このような動作を、紛失または盗難された状態でなくなるまで繰り返し行う。【選択図】      図２
2007195063.tif 000002
【特許請求の範囲】
【請求項１】
携帯端末装置ごとに現在の状態を記憶しているサーバとデータ通信が可能に構成される携帯端末装置において、
前記サーバに対して問合せを行い、現在の状態を確認する確認手段と、
携帯端末装置および携帯端末装置の環境に関連する情報を取得する取得手段と、
ユーザによって操作される操作部と、
前記確認手段によって確認した現在の状態が予め定める状態であった場合に、前記取得手段を動作させ、前記情報を取得させる制御手段とを備え、
携帯端末装置の電源をオフするための前記操作部の操作手順が複数設定され、
前記制御手段は、
複数の操作手順のうちの第１の操作手順によって電源がオフされた場合は、携帯端末装置略全体の動作を停止し、
前記第１の操作手順とは異なる第２の操作手順によって電源がオフされた場合は、所定時間ごとに前記取得手段を動作させ、前記情報を取得させることを特徴とする携帯端末装置。
【請求項２】
前記取得手段によって取得した情報を前記サーバに送信する送信手段を備え、
前記制御手段は、前記第２の操作手順によって電源がオフされた場合は、所定時間ごとに前記取得手段および前記送信手段を動作させ、取得した情報を前記サーバに送信させることを特徴とする請求項１記載の携帯端末装置。
【請求項３】
前記携帯端末装置および携帯端末装置の環境に関連する情報である第１の情報と、個人情報である第２の情報とを記憶する記憶手段と、
前記第２の情報を表示する表示手段とを備え、
前記制御手段は、前記確認手段によって確認した現在の状態が予め定める状態であった場合に、前記第２の情報を表示しないように前記表示手段を制御することを特徴とする請求項１または２記載の携帯端末装置。
【請求項４】
前記制御手段は、前記第２の操作手順によって電源がオフされた場合は、前記取得手段または前記送信手段を動作させているときに、前記表示手段の動作を停止することを特徴とする請求項３記載の携帯端末装置。
【請求項５】
前記確認手段によって現在の状態が確認できない場合、前記制御手段は、予め定める操作手順によって、前記第２の情報を前記表示部に表示させる指示が入力されたときにのみ前記第２の情報を前記表示部に表示させることを特徴とする請求項３または４記載の携帯端末装置。
【請求項６】
前記取得手段は、
入射した光に基づいて画像データを作成する撮影手段と、
携帯端末装置の現在位置を検出する位置検出手段と、
指紋を読み取る指紋読取手段と、
入力された音声に基づいて音声データに変換する音声変換手段のうち１種または２種以上の手段を含むことを特徴とする請求項１〜５のいずれか１つに記載の携帯端末装置。
【発明の詳細な説明】
【技術分野】
【０００１】
本発明は、携帯端末装置ごとに現在の状態を記憶しているサーバとデータ通信が可能に構成される携帯端末装置であって、紛失および盗難などによる不正利用を防止することができる携帯端末装置に関する。
【背景技術】
【０００２】
携帯電話装置は、小型化および多機能化が進むことで急速に普及したが、紛失および盗難などの事故も多数発生している。紛失、盗難などによって第三者の手に渡った携帯電話装置は、不正に使用されたり、犯罪などに利用される可能性が高い。ほとんどの携帯電話装置が、電話帳データとして電話番号、住所などの個人情報を記憶しており、このような個人データが流出するおそれもある。
【０００３】
不正利用を防止するために、パスワード認証などのセキュリティ機能を備えているものが多いが、一度セキュリティ機能が破られてしまうと、以降の不正利用を防止する手段を失ってしまう。
【０００４】
不正利用を防止する最も確実な方法は、第三者の手から携帯電話端末を取り戻すことである。また、すでに不正利用されていた場合は、不正利用した第三者を特定し、然るべき措置を取る必要がある。
【０００５】
特許文献１記載の携帯電話端末は、予め定めた特定の電話機から所定の手続きをとることによって、悪用対策モードを起動し、所定時間の通話を記憶し、通話があったことを通知すると動作を停止する。また、特定の電話機からの遠隔操作で記録した通話を再生することもできる。これによって、ユーザは悪用時の通話内容を聴くことができると共に、このとき端末が交信した無線基地局を特定することで端末の位置を推定することも可能になり、該端末の回収が容易になる。
【０００６】
特許文献２記載の携帯電話装置は、予め設定された文字列が含まれる電子メールを受信すると、画像撮影部で撮影した画像情報と、現在時刻情報と、現在位置情報と、通話履歴情報との中から少なくとも一つの情報を含む電子メールを予め設定された宛先に電子メールを送信する。これによって、携帯電話装置を回収するための情報を得ることができる。また、電子メール送信中は、待ち受け画面を表示させたり、電話帳データを架空のデータに変換したりしてセキュリティ性を向上させている。
【０００７】
特許文献３記載の携帯電話機は、加入者網より、自機の電話機識別情報がデータベースに記憶されていない旨の返答を受けると、内部メモリに記録された所定の情報が自機外部へ出力されるのを抑止する。これによって、携帯電話機の電源がオフまたは通信圏外であっても、所定の情報が自機外部へ出力することを抑止することができる。
【０００８】
特許文献４記載の携帯電話機は、不正利用の防止などを目的としたものではなく、電源がオフされた場合でも精度良く位置登録を行うことを目的としている。この携帯電話機は、電源をオフにすると同時に位置登録タイマが計時を開始し、予め設定された所定時間経過後に制御部と無線部の電源をオンにする。そして基地局からの信号を受信して受信データを取得し位置情報の変化を判定する。位置情報が変化していない場合には、直ちに電源をオフにする。位置情報が変化している場合には位置登録を行った後、電源をオフする。電源がオフになると同時に位置登録タイマを再起動し、以降、継続的に位置登録動作を繰り返し実行する。また、起動時に外部バッテリが使用できない場合や十分な電圧が供給できない場合は内部バッテリに切り替えて動作する。
【０００９】
【特許文献１】特開２００２−１７６４９０号公報
【特許文献２】特開２００４−１１２１２６号公報
【特許文献３】特開２００４−１９３７９４号公報
【特許文献４】特開２００３−２１８７６７号公報
【発明の開示】
【発明が解決しようとする課題】
【００１０】
特許文献１および特許文献２記載の携帯電話装置は、紛失、盗難などによってユーザの手から離れた後に、電源がオフされると、外部からの制御が不可能となってしまう。特許文献３の携帯電話装置は、データベースから削除された後に少なくとも１度は加入者網と通信を行わなければ情報の出力を抑止することができないので、たとえば、データベースから削除された時点では電源がオフであって、その後、通信圏外で電源がオンされた場合に情報の出力を抑止することができない。特許文献４記載の携帯電話装置は、平時の使用中に電源をオフにしていても、一定時間ごとに制御部と通信部とに電力が供給されるため、消費電力が増大してしまう。
【００１１】
本発明の目的は、紛失および盗難などによる不正利用を防止することができ、すでに不正利用されていれば、不正利用した第三者を特定し、然るべき措置を取ることができ、さらに消費電力を低減することができる携帯端末装置を提供することである。
【課題を解決するための手段】
【００１２】
本発明は、携帯端末装置ごと現在の状態を記憶しているサーバとデータ通信が可能に構成される携帯端末装置において、
前記サーバに対して問合せを行い、現在の状態を確認する確認手段と、
携帯端末装置および携帯端末装置の環境に関連する情報を取得する取得手段と、
ユーザによって操作される操作部と、
前記確認手段によって確認した現在の状態が予め定める状態であった場合に、前記取得手段を動作させ、前記情報を取得させる制御手段とを備え、
携帯端末装置の電源をオフするための前記操作部の操作手順が複数設定され、
前記制御手段は、
複数の操作手順のうちの第１の操作手順によって電源がオフされた場合は、携帯端末装置略全体の動作を停止し、
前記第１の操作手順とは異なる第２の操作手順によって電源がオフされた場合は、所定時間ごとに前記取得手段を動作させ、前記情報を取得させることを特徴とする携帯端末装置である。
【００１３】
また本発明は、前記取得手段によって取得した情報を前記サーバに送信する送信手段を備え、
前記制御手段は、前記第２の操作手順によって電源がオフされた場合は、所定時間ごとに前記取得手段および前記送信手段を動作させ、取得した情報を前記サーバに送信させることを特徴とする。
【００１４】
また本発明は、前記携帯端末装置および携帯端末装置の環境に関連する情報である第１の情報と、個人情報である第２の情報とを記憶する記憶手段と、
前記第２の情報を表示する表示手段とを備え、
前記制御手段は、前記確認手段によって確認した現在の状態が予め定める状態であった場合に、前記第２の情報を表示しないように前記表示手段を制御することを特徴とする。
【００１５】
また本発明は、前記制御手段は、前記第２の操作手順によって電源がオフされた場合は、前記取得手段または前記送信手段を動作させているときに、前記表示手段の動作を停止することを特徴とする。
【００１６】
また本発明は、前記確認手段によって現在の状態が確認できない場合、前記制御手段は、予め定める操作手順によって、前記第２の情報を前記表示部に表示させる指示が入力されたときにのみ前記第２の情報を前記表示部に表示させることを特徴とする。
【００１７】
また本発明は、前記取得手段は、
入射した光に基づいて画像データを作成する撮影手段と、
携帯端末装置の現在位置を検出する位置検出手段と、
指紋を読み取る指紋読取手段と、
入力された音声に基づいて音声データに変換する音声変換手段のうち１種または２種以上の手段を含むことを特徴とする。
【発明の効果】
【００１８】
本発明によれば、携帯端末装置ごと現在の状態を記憶しているサーバとデータ通信が可能に構成される携帯端末装置である。このサーバは、たとえば電話通信サービス提供事業者が用意したサーバであって、携帯端末装置が紛失された場合、その状態が記憶される。
【００１９】
確認手段が、前記サーバに対して問合せを行い、現在の状態が予め定める状態、たとえば紛失の届出が出ている状態であった場合に、制御手段は、前記取得手段を動作させ、携帯端末装置および携帯端末装置の環境に関連する情報を取得させる。もし、紛失後に不正利用されたとしても、携帯端末装置および携帯端末装置の環境に関連する情報を取得しておくことで、不正利用した第三者を特定し、然るべき措置を取ることができる。
【００２０】
また、複数の操作手順のうちの第１の操作手順によって電源がオフされた場合は、携帯端末装置略全体の動作を停止し、前記第１の操作手順とは異なる第２の操作手順によって電源がオフされた場合は、所定時間ごとに前記取得手段を動作させ、前記情報を取得させる。したがって、紛失する可能性が低いときは、第１の操作手順によって電源をオフすることで、取得手段が動作せず、消費電力を低減することができる。
【００２１】
また本発明によれば、前記第２の操作手順によって電源がオフされた場合は、所定時間ごとに前記取得手段および送信手段を動作させ、取得した情報を前記サーバに送信させる。サーバにおいて、携帯端末装置および携帯端末装置の環境に関連する情報を確認することができるので、早急に不正利用した第三者を特定することができる。
【００２２】
また本発明によれば、前記確認手段によって確認した現在の状態が予め定める状態であった場合に、個人情報である第２の情報を表示しないように表示手段を制御する。
【００２３】
これにより、個人情報の流出など不正利用を防止することができる。
また本発明によれば、前記制御手段は、前記第２の操作手順によって電源がオフされた場合は、前記取得手段または前記送信手段を動作させているときに、前記表示手段の動作を停止する。
【００２４】
表示手段の動作を停止することで、不正利用者に知られること無く取得手段または送信手段を動作させることができる。
【００２５】
また本発明によれば、前記確認手段によって現在の状態が確認できない場合、前記制御手段は、パスワードの入力など予め定める操作手順によって、前記第２の情報を前記表示部に表示させる指示が入力されたときにのみ前記第２の情報を前記表示部に表示させる。
【００２６】
携帯端末装置が通信圏外にある場合など、確認手段によって現在の状態が確認できないときでも、個人情報の流出を防止できるとともに、正規ユーザであれば、予め定める操作手順を行うことによって、個人情報を表示させることができるので、利便性を確保することもできる。
【００２７】
また本発明によれば、前記取得手段として、カメラなどの入射した光に基づいて画像データを作成する撮影手段、携帯端末装置の現在位置を検出する位置検出手段、指紋を読み取る指紋読取手段、マイクなど入力された音声に基づいて音声データに変換する音声変換手段のうち１種または２種以上を含む。このように複数の手段によって複数の情報を取得することで不正利用者の特定が容易になる。
【発明を実施するための最良の形態】
【００２８】
図１は、本発明の実施の一形態である携帯電話装置１を含む通信システムの概略図である。
【００２９】
携帯電話装置１は、加入者網の基地局３を介してサーバ２とのデータ通信を行う携帯端末装置である。サーバ２は、予め登録されている携帯電話装置１の認証に必要な各種情報を記憶する端末情報データベース２１、詳細は後述するが、携帯電話装置から送信されてくる個人情報および収集データをそれぞれ記憶する個人情報記憶部２２、収集データ記憶部２３を備え、制御部２４が通信部２５を制御することで携帯電話装置１と適宜データ通信を行う。図示はしていないが携帯電話装置１は、交換機などを介して電話通信可能に構成されている。
【００３０】
図２は、携帯電話装置１の構成を示すブロック図である。携帯電話装置１は、制御部１０、無線通信部１１、メモリ１２、カメラ１３、表示部１４、操作部１５、通話部１６、指紋読取部１７、ＧＰＳ１８、充電処理部１９、タイマ２０、メインバッテリ１００、サブバッテリ１０１を備える。
【００３１】
制御部１０は、携帯電話装置１全体の動作制御を行う制御手段である。無線通信部１１は、基地局３と無線通信を行うための送信手段であり、電話通信時およびデータ通信時に音声データなどの各種データを送受信する。メモリ１２は、携帯電話装置１の動作制御を行うための制御プログラム、各種機能を実行するためのアプリケーションプログラムなどを記憶する記憶手段であり、プログラム以外に自装置の電話番号１２ａ、ユニークＩＤ１２ｂ、電話帳データ、送受信した電子メールデータなどの個人情報１２ｃ、後述する収集情報１２ｄ、通信記録１２ｅを記憶する。
【００３２】
カメラ１３は、デジタルカメラであって、被写体を撮影した画像データを作成し、所定の記憶領域に記憶する撮影手段である。通常のカメラ起動モードでは、ユーザによってシャッターキーが押されると１フレーム分の画像データを予め定めるデータフォルダに記憶する。表示部１４は、液晶ディスプレイ、有機ＥＬ（Electro Luminescence）ディスプレイなどで実現され、ユーザが携帯電話１を操作するための操作メニューや、アプリケーション画面、撮影した画像データなどを表示する表示手段である。操作部１５は、ユーザによって操作され、相手先電話番号をダイヤルするための数字キー、電源のオンオフを切り替えるための電源キー、オフフックするためのオフフックキーなど複数のキー群からなる操作手段である。通話部１６は、音声変換手段であるマイク、スピーカなどを有し電話通信時に音声の入出力を行う。指紋読取部１７は、正規ユーザが操作しているかどうかを判断するための認証手段の１つであり、小型のスキャナで構成される指紋読取手段である。ＧＰＳ（Global Positioning System）１８は、携帯電話機１の現在位置を検出するための手段の１つであり、ＧＰＳ衛星との通信を通じて自装置の緯度および経度を検出する。充電処理部１９は、専用の充電器に、携帯電話装置１が装着されると、バッテリ残量に基づいてメインバッテリ１００およびサブバッテリ１０１の充電を行う。タイマ２０は、制御部１０の指示にしたがって計時を行う。メインバッテリ１００は、電源オン時に、携帯電話装置１全体に電力を供給する。サブバッテリ１０１は、メインバッテリ１００の残量が無くなった場合に電力供給を行い、主に表示部１４、操作部１５、通話部１６以外に電力を供給する。サブバッテリ１０１は、容易に取り外しができない状態で配置されている。不正使用者がメインバッテリ１００を取り外したとしても、サブバッテリ１０１による電力供給を行う。
【００３３】
カメラ１３、通話部１６、指紋読取部１７、ＧＰＳ１８などは、携帯電話装置および携帯電話装置の環境に関連する情報を取得するための取得手段である。また、制御手段１０、無線通信部１１、メモリ１２は、サーバに対して問合せを行い、現在の状態を確認する確認手段を構成する。
【００３４】
図３は、充電器４の構成を示すブロック図である。充電器４は、制御部４０と、ユニークＩＤ記憶部４１、送信部４２、送電部４３を含んで構成される。制御部４０は、携帯電話機１が装着されたことを検出して送電部４３を動作させる。送電部４３は、商用交流電源などから得た電力を装着された携帯電話装置１に送電する。送信部４２は、装着された携帯電話装置１に充電用コネクタなどを介してユニークＩＤを送信する。
【００３５】
携帯電話装置１は、充電器４から送信されたユニークＩＤと、メモリ１２に記憶されているユニークＩＤとを比較し、一致していれば充電器４の制御部４０に対して充電開始の許可を通知する。充電器４の制御部４０は、携帯電話装置１からの許可通知を受けて充電を開始する。なお、ユニークＩＤが一致しない場合であっても所定の回数または所定の時間は充電可能とする構成であってもよい。
【００３６】
携帯電話装置１の電源をオフするための操作手順は少なくとも２種類あり、実行された操作手順の種類によって電源オフ状態での動作が異なる。
【００３７】
自宅内にある場合などユーザが紛失、盗難の危険性が少ないと判断した場合には、第１の操作手順を行って電源をオフし、外出中など紛失、盗難の危険性が高いと判断した場合には、第２の操作手順を行って電源をオフしておく。
【００３８】
第１の操作手順は、既存の携帯電話装置における広く知られた操作であり、たとえば装置の電源オンの状態で電源キーを長押しすることによって電源をオフするような操作である。第２の操作手順は、第１の操作手順とは異なる操作であり、たとえば電源キーと、電源キーとは異なるキーとを同時に長押しすることによって電源をオフするような操作である。電源キーと同時に長押しするキーは、１つであってもよいし、２つ以上の複数であってもよく、ユーザによって任意に設定可能に構成されているのが好ましい。
【００３９】
携帯電話装置１の制御部１０は、操作部１５に含まれるキーのうちいずれのキーが操作されたかを検出しているので、上記の第１の操作手順が行われたか第２の操作手順が行われたかを判断することができる。第１の操作手順が行われたと判断した場合は、電源キーの操作を検出するために必要な最小限の部位（制御部１０および操作部１５の一部）にのみ電力を供給し、その他の部位については電力の供給を停止する。電源をオンさせるための操作では電源キーが押されるため、制御部１０および操作部１５の一部にのみ電力を供給している。第１の操作手順が行われたときの電源オフ状態では、電源がオンされるまで表示部１４の表示や、無線通信部１１による電話通信、データ通信などは行わない。
【００４０】
これに対して第２の操作手順が行われたと判断した場合は、制御部１０、タイマ２０および操作部１５の一部にのみ電力を供給し、その他の部位（たとえば表示部１４等）については電力の供給を停止するとともにタイマ２０による計時を開始する。タイマ２０の計時によって第２の操作手順が行われてから所定時間経過したことを検出すると、制御部１０、無線通信部１１、メモリ１２に電力を供給し、加入者網に接続する。電話番号１２ａおよびユニークＩＤ１２ｂを用いてサーバ２に対する認証手続きを行い、自装置が、予め定める状態である紛失または盗難された状態にある装置（以下では「紛失装置」と呼ぶことがある。）としてサーバ２に登録されているかどうかの問合せを行う。
【００４１】
なお、紛失装置として登録される手順は以下の通りである。携帯電話装置１の正規ユーザが、装置が紛失または盗難されたと判断した場合に、その旨を電話通信サービス提供事業者に対して届出をすると、電話通信サービス提供事業者では、サーバ２の端末情報データベース２１において、当該携帯電話装置１を紛失装置として登録する。
【００４２】
上記問合せの結果、紛失装置として登録されていた場合は、表示部１４以外の部位に対して電力の供給を行い、盗難の場合は不正使用者を特定するため、紛失の場合は現在位置を特定するための各種情報を収集する情報収集モードで起動する。
【００４３】
情報収集モードでは、たとえば、各部位を次のように動作させる。カメラ１３を起動させて撮影し、作成した画像データをメモリ１２に収集情報１２ｄとして記憶する。通話部１６のマイクに入力される音声を音声データに変換し、収集情報１２ｄとして記憶する。指紋読取部１７は、スキャニングを行い、指紋を読取ることができれば指紋画像データを収集情報１２ｄとして記憶する。ＧＰＳ１８を起動させ現在位置を取得することができれば緯度と経度を収集情報１２ｄとして記憶する。
【００４４】
各部位が動作した結果得られた収集情報１２ｄは、電子メールに添付するなどしてサーバ２に送信する。サーバ２では、紛失装置として登録されている携帯電話装置から収集情報を受信すると、受信した収集情報を、送信元の携帯電話装置と関連付けて収集データ記憶部２３に記憶する。
【００４５】
また、情報収集モード起動時には、メモリ１２に記憶されている個人情報１２ｃを退避させるために個人情報１２ｃのコピーデータをサーバ２に送信することが好ましい。個人情報の送信は、上記の収集情報と同時に送信してもよいし、各部位が収集情報を取得するために動作している間に送信しておいてもよい。
【００４６】
収集情報の送信および個人情報の送信が終了すると、第２の操作手順が行われた場合と同様に、制御部１０、タイマ２０および操作部１５の一部にのみ電力を供給し、その他の部位については電力の供給を停止するとともにタイマ２０による計時を再開する。その後は、自装置が紛失装置としてサーバ２に登録されている限りは、上記のように所定時間ごとに収集情報の取得およびサーバ２への送信を繰り返す。
【００４７】
サーバ２への問合せの結果、紛失装置として登録されていなかった場合は、第２の操作手順が行われた場合と同様に、制御部１０、タイマ２０および操作部１５の一部にのみ電力を供給し、その他の部位については電力の供給を停止するとともにタイマ２０による計時を再開する。自装置が紛失装置としてサーバ２に登録されない限りは、所定時間毎にサーバ２への問合せを繰り返す。
【００４８】
一旦自装置が紛失装置としてサーバ２に登録され、その登録が解除されない限りは、電源オンの操作が行われたとしてもバックグラウンドでは情報取得動作を継続して行う。
【００４９】
電源オンの状態で各種情報を取得するに当たっては、電源オフ状態のように情報収集モードが起動されると一斉に情報取得動作を行う構成ではなく、自装置の環境が変化したときに情報を取得することで、より有効な情報を得ることができる。携帯電話装置１に加速度センサなど装置の移動を検出する手段を備えておき、装置の移動が検出されたときにカメラ１３による撮影を行うようにすれば、不正使用者が携帯電話装置１を所持した状態で撮影する可能性が高くなる。電源オンの状態では、カメラ１３による画像データの取り込みを連続して行い、画像データの輝度変化があった場合は、装置が移動したものと判断するような構成であってもよい。さらに、ＧＰＳ１８によって緯度、経度が変化したとき、操作部１５のキーが押されたときなどに環境の変化があったとして情報取得を行うようにしてもよい。不正使用者が、電話通信によって通話を行うための操作を行ったり、データ通信によって電子メールの送受信、ウェブページの閲覧などを行うための操作を行ったときに環境の変化があったとして情報取得を行うようにしてもよい。このときに取得する情報としては、前記画像データ、音声データ、指紋画像データ、現在位置データに加えて、通話相手の電話番号、送受信相手の電子メールアドレス、閲覧したウェブページのＵＲＬ（Uniform Resource Locator）などがある。カメラ１３やＧＰＳ１８など情報を取得する部位が、環境変化の検出手段を兼ねることで、加速度センサなど別途検出手段を設ける必要がなくなる。
【００５０】
自装置が紛失装置としてサーバ２に登録された状態で、電話帳データの閲覧などメモリ１２に記憶されている個人情報１２ｃを表示部１４に表示させるような操作が行われたときには、個人情報１２ｃの表示を行わず、実在しない架空の情報（ダミー情報）を表示させる。ダミー情報は、メモリ１２に予め記憶しておいてもよいし、個人情報１２ｃに基づいて、元になる情報が推定不可能な程度に加工したものであってもよい。
【００５１】
図４は、タイマ起動時の処理を示すフローチャートである。第２の操作手順で電源がオフされ、第２の操作手順が行われてから所定時間経過した時点でタイマ２０によって電源がオンされると本処理を開始する。
【００５２】
ステップＳ１では、加入者網に接続してサーバ２に認証手続きを行う。ステップＳ２では、サーバ２に問い合わせることで、自装置が紛失装置として登録されているかどうかを判断する。登録されていればステップＳ３に進み、登録されていなければ電源をオフして処理を終了する。ステップＳ３では、情報収集モードで起動しているかどうかを判断し、情報収集モードで起動していればステップＳ４に進み、情報収集モードで起動していなければステップＳ５に進む。ステップＳ４では、カメラ１３などにより各種情報の収集を行う。ステップＳ５では、情報収集モードに移行して個人情報１２ｃをサーバ２に送信する。ステップＳ６では取得した情報があるかどうかを判断し、情報があればステップＳ７に進み、情報が無ければ電源をオフして処理を終了する。ステップＳ７では、収集情報をサーバ２に送信し、電源をオフして処理を終了する。この後、所定時間が経過すると再びタイマ２０によって電源がオンされステップＳ１からの動作を繰り返す。
【００５３】
図５は、電源オン状態での処理を示すフローチャートである。ステップＳ１１では、待ち受け状態において操作部１５が操作されるか着信があったかを判断し、あればステップＳ１２に進み、無ければ待ち受け状態に戻る。ステップＳ１２では、サーバ２から紛失装置であることを示す紛失通知が着信したかどうかを判断する。紛失通知が着信していればステップＳ１３に進み、着信していなければステップＳ１４に進む。ステップＳ１３では、情報収集モードに移行し、個人情報１２ｃをサーバ２に送信する。ステップＳ１４では、個人情報を閲覧しようとする操作が行われたかどうかを判断し、個人情報を閲覧しようとする操作が行われていればステップＳ１５に進み、行われていなければステップＳ１６に進む。ステップＳ１５では、後述の個人情報閲覧処理を行う。ステップＳ１６では、情報収集モードで動作しているかどうかを判断し、情報収集モードで動作していればステップＳ１７に進み、情報収集モードで動作していなければステップＳ１８に進む。ステップＳ１７では、前述のように、カメラ１３、通話部１６のマイク、指紋読取部１７、ＧＰＳ１８などを動作させて、不正使用者を特定するため、現在位置を特定するための各種情報を収集する。ステップＳ１８では、通話やウェブページの閲覧、装置設定の変更など、ユーザの操作に応じた通常の処理を行う。
【００５４】
図６は、個人情報閲覧処理を示すフローチャートである。ステップＳ２１では、情報収集モードで動作しているかどうかを判断し、情報収集モードで動作していればステップＳ２７に進み、情報収集モードで動作していなければステップＳ２２に進む。ステップＳ２２では、通信圏外であるかどうかを判断し、通信圏外であればステップＳ２３に進み、通信圏外でなければステップＳ２５に進む。ステップＳ２３ではパスワードの入力を受け付け、ステップＳ２４ではユーザによって操作部１５がされて入力された文字列と、予めパスワードとして設定された文字列とを比較して正しいパスワードが入力されたかどうかを判断する。２つの文字列が一致して正しいパスワードが入力されたことが確認されるとステップＳ２６に進み、２つの文字列が一致せず正しいパスワードが入力されなかったことが確認されるとステップＳ２７に進む。ステップＳ２５では、個人情報の閲覧を制限する保護モードで動作しているかどうかを判断し、保護モードで動作していればステップＳ２３に進み、保護モードで動作していなければステップＳ２６に進む。ステップＳ２６では、電話帳データなど個人情報を表示部１４に表示する。ステップＳ２７では、個人情報の閲覧を拒否するためにダミー情報を表示する。
【図面の簡単な説明】
【００５５】
【図１】本発明の実施の一形態である携帯電話装置１を含む通信システムの概略図である。
【図２】携帯電話装置１の構成を示すブロック図である。
【図３】充電器４の構成を示すブロック図である。
【図４】タイマ起動時の処理を示すフローチャートである。
【図５】電源オン状態での処理を示すフローチャートである。
【図６】個人情報閲覧処理を示すフローチャートである。
【符号の説明】
【００５６】
１  携帯電話装置
１０  制御部
１１  無線通信部
１２  メモリ
１３  カメラ
１４  表示部
１５  操作部
１６  通話部
１７  指紋読取部
１８  ＧＰＳ
１９  充電処理部
２０  タイマ
１００  メインバッテリ
１０１  サブバッテリ
【図１】
2007195063.tif 000003
【図２】
2007195063.tif 000004
【図３】
2007195063.tif 000005
【図４】
2007195063.tif 000006
【図５】
2007195063.tif 000007
【図６】
2007195063.tif 000008